(57)【要約】    【課題】  軸方向の寸法を小さくし、回転部材と固定部材との間の密閉度を良好にし、容易に取り付け可能にする。    【解決手段】  シャフト１に円筒部３を嵌め、円筒部３と一体の回転ディスク２に磁性粒子を添加したエラストマからなるコーダ４を取り付け、固定部材６に円筒部７を嵌め、円筒部７と一体の固定ディスク８に密閉部材１０を取り付け、密閉部材１０に回転ディスク２の自由面に当接している軸方向の唇状片１１ａおよび円筒部３の外側面に当接している半径方向の唇状片１１ｂを設け、密閉部材１０の端部に環状部材１２を設け、コーダ４にシャフト１に当接している唇状片１３を設け、コーダ４の外側の側面と固定部材６の側面６１の平面Ｐとをほぼ同一平面とする。【選択図】        図１
2004340979.tif 000002
【特許請求の範囲】
【請求項１】
回転部材と固定部材との間が密閉され、上記回転部材に回転ディスクが取り付けられ、上記回転ディスクに多極磁化されたコーダが取り付けられたコーダ内蔵密閉構造において、上記コーダとして磁性粒子を添加したエラストマからなるものを用い、上記コーダの側面を上記固定部材の側面とほぼ同一平面とし、上記回転部材と上記回転ディスクとの間を密閉する第１の密閉手段を設けたことを特徴とするコーダ内蔵密閉構造。
【請求項２】
上記第１の密閉手段として、上記コーダに設けられかつ上記回転部材と当接する唇状片を用いたことを特徴とする請求項１に記載のコーダ内蔵密閉構造。
【請求項３】
上記第１の密閉手段として、上記回転ディスクに取り付けられかつ上記回転部材に設けられた環状凹部に気密に取り付けられた環状部材を用いたことを特徴とする請求項１に記載のコーダ内蔵密閉構造。
【請求項４】
上記環状部材を上記コーダと一体としたことを特徴とする請求項３に記載のコーダ内蔵密閉構造。
【請求項５】
上記回転ディスク、上記コーダと上記固定部材との間に間隙を設けたことを特徴とする請求項１〜４のいずれかに記載のコーダ内蔵密閉構造。
【請求項６】
上記固定部材に上記コーダと当接する第２の密閉手段を取り付けたことを特徴とする請求項１〜５のいずれかに記載のコーダ内蔵密閉構造。
【請求項７】
上記回転ディスクと固定ディスクに取り付けられた第１の密閉部材との間の環状の空間に磁性の液体を注入したことを特徴とする請求項１〜６のいずれかに記載のコーダ内蔵密閉構造。
【請求項８】
上記間隙に磁性の液体を注入したことを特徴とする請求項５に記載のコーダ内蔵密閉構造。
【請求項９】
上記回転ディスクとして磁性材料からなるものを用いたことを特徴とする請求項１〜８のいずれかに記載のコーダ内蔵密閉構造。
【請求項１０】
回転部材と固定部材との間を密閉し、上記回転部材に回転ディスクが取り付けられ、上記回転ディスクに多極磁化されたコーダが取り付けられたコーダ内蔵密閉構造において、上記コーダとして磁性粒子を添加したエラストマからなるものを用い、上記コーダの側面を上記固定部材の側面とほぼ同一平面とし、上記回転ディスクに一部が上記固定部材に当接する第２の密閉部材を取り付けたことを特徴とするコーダ内蔵密閉構造。
【発明の詳細な説明】
【技術分野】
【０００１】
この発明は回転装置、軸受等の回転部材と固定部材との間を密閉し、回転部材に回転ディスクが取り付けられ、回転ディスクに多極磁化されたコーダが取り付けられ、コーダが角速度検出装置等の固定の検知器の前を移動する磁場を発生させるコーダ内蔵密閉構造に関するものである。
【背景技術】
【０００２】
欧州特許出願公開第４９５３２３号明細書には、磁性材料で被覆されたまたは磁性材料で作られたコーダを有するコーダ内蔵密閉構造が記載されている。
【０００３】
また、フランス特許出願公開第２６６０９７５号明細書には、ディスクの内面がパッキングの方に向けられており、他方ディスクの外面にコーダが取り付けられたコーダ内蔵密閉構造が記載されている。
【０００４】
【特許文献１】欧州特許出願公開第４９５３２３号明細書
【特許文献２】フランス特許出願公開第２６６０９７５号明細書
【発明の開示】
【発明が解決しようとする課題】
【０００５】
このようなコーダ内蔵密閉構造においては、検知器の動作が強い磁界を必要とするとき、コーダの軸方向の寸法が大きくなるから、全体の軸方向の寸法が大きくなるので、回転装置、軸受等におけるコーダ内蔵密閉構造の軸方向の寸法があらじめ定められているときには適用することができない。
【０００６】
この発明の目的は、軸方向の寸法が小さいコーダ内蔵密閉構造を提供することである。
【０００７】
この発明の他の一つの目的は、回転部材と固定部材との間の密閉度が良好なコーダ内蔵密閉構造を提供することである。
【０００８】
この発明のさらに他の一つの目的は、容易に取り付けることができるコーダ内蔵密閉構造を提供することである。
【課題を解決するための手段】
【０００９】
この目的を達成するため、この発明においては、回転部材と固定部材との間が密閉され、上記回転部材に回転ディスクが取り付けられ、上記回転ディスクに多極磁化されたコーダが取り付けられたコーダ内蔵密閉構造において、上記コーダとして磁性粒子を添加したエラストマからなるものを用い、上記コーダの側面を上記固定部材の側面とほぼ同一平面とし、上記回転部材と上記回転ディスクとの間を密閉する第１の密閉手段を設ける。
【００１０】
この場合、上記第１の密閉手段として、上記コーダに設けられかつ上記回転部材と当接する唇状片を用いてもよい。
【００１１】
また、上記第１の密閉手段として、上記回転ディスクに取り付けられかつ上記回転部材に設けられた環状凹部に気密に取り付けられた環状部材を用いてもよい。
【００１２】
この場合、上記環状部材を上記コーダと一体としてもよい。
【００１３】
また、上記回転ディスク、上記コーダと上記固定部材との間に間隙を設けてもよい。
【００１４】
また、上記固定部材に上記コーダと当接する第２の密閉手段を取り付けてもよい。
【００１５】
また、上記回転ディスクと固定ディスクに取り付けられた第１の密閉部材との間の環状の空間に磁性の液体を注入してもよい。
【００１６】
また、上記間隙に磁性の液体を注入してもよい。
【００１７】
また、上記回転ディスクとして磁性材料からなるものを用いてもよい。
【００１８】
また、回転部材と固定部材との間を密閉し、上記回転部材に回転ディスクが取り付けられ、上記回転ディスクに多極磁化されたコーダが取り付けられたコーダ内蔵密閉構造において、上記コーダとして磁性粒子を添加したエラストマからなるものを用い、上記コーダの側面を上記回転部材、上記固定部材の少なくとも一方の側面とほぼ同一平面とし、上記回転ディスクに一部が上記固定部材に当接する第２の密閉部材を取り付ける。
【発明の効果】
【００１９】
この発明に係るコーダ内蔵密閉構造においては、コーダの軸方向の寸法を大きくしなくとも、強い磁界を発生することができるから、全体の軸方向の寸法を小さくすることができので、回転装置、軸受等におけるコーダ内蔵密閉構造の軸方向の寸法があらじめ定められているときにも適用することができ、また特別な注意を払わずに回転装置、軸受等に取り付けられることができるので、容易に取り付けることができる。
【００２０】
また、回転ディスクと第１の密閉部材との間の環状の空間、回転ディスク、コーダと固定部材との間の間隙に磁性の液体を注入したときには、磁性の流体がコーダの磁気によって所定の場所に保持されるから、回転部材と固定部材との間の密閉度が良好である。
【００２１】
また、回転ディスクとして磁性材料からなるものを用いたときには、磁界や磁束の集中を図ることができるから、コーダの軸方向の寸法をより小さくすることができる。
【発明を実施するための最良の形態】
【００２２】
図１はこの発明に係るコーダ内蔵密閉構造の一部を示す断面図である。図に示すように、回転装置の回転部材であるシャフト１に円筒部３が嵌められ、円筒部３と一体の半径方向の回転ディスク２の一方の面には磁性粒子を添加したエラストマからなるコーダ４が取り付けられている。回転ディスク２、円筒部３は固定部材６に取り付けられた第１の枠５の中に位置させられている第２の枠を構成している。第１の枠５もまた固定部材６に嵌められた円筒部７および円筒部７と一体のシャフト１の回転軸の方向を向いている半径方向の固定ディスク８を有している。円筒部７、固定ディスク８には型にいれて作られた気密のエラストマからなる第１の密閉部材１０が取り付けられ、密閉部材１０は回転ディスク２の自由面に当接している軸方向の唇状片１１ａおよび円筒部３の外側面に当接している半径方向の唇状片１１ｂを有している。密閉部材１０の端部には固定部材６に設けられた凹部に嵌め込まれた環状部材１２が設けられている。コーダ４にはシャフト１に当接している唇状片１３が設けられ、唇状片１３はシャフト１と回転ディスク２との間を密閉する第１の密閉手段を構成している。コーダ４の外側の側面と固定部材６の側面６１の平面Ｐとはほぼ同一平面である。コーダ４、密閉部材１０を備えた回転ディスク２、固定ディスク８の全体は平面Ｐによって軸方向に限られている環状の空洞１５の中に設けられている。回転ディスク２、コーダ４と密閉部材１０との間に間隙１６が設けられている。回転ディスク２と密閉部材１０との間には空間１９、２９が形成され、空間１９、２９内にフェライトが添加された磁性の液体が注入されている。また、間隙１６の中にも磁性の液体が注入されている。回転ディスク２は磁性材料で作られている。
【００２３】
このコーダ内蔵密閉構造においては、コーダ４の軸方向の寸法を大きくしなくとも、強い磁界を発生することができるから、全体の軸方向の寸法を小さくすることができるので、回転装置におけるコーダ内蔵密閉構造の軸方向の寸法があらじめ定められているときにも適用することができる。また、特別な注意を払わずに回転装置に取り付けることができるから、容易に取り付けることができる。また、空間１９、２９、間隙１６に磁性の液体を注入しているから、磁性の流体がコーダ４の磁気によって所定の場所に保持されるので、シャフト１と固定部材６との間の密閉度が良好である。また、回転ディスク２として磁性材料からなるものを用いているから、磁界や磁束の集中を図ることができるので、コーダ４の軸方向の寸法をより小さくすることができる。
【００２４】
図２はこの発明に係る他のコーダ内蔵密閉構造の一部を示す断面図である。図に示すように、密閉部材１０にコーダ４と当接する唇状片１７が設けられ、唇状片１７は第２の密閉手段を構成している。
【００２５】
図３はこの発明に係る他のコーダ内蔵密閉構造の一部を示す断面図である。図に示すように、このコーダ内蔵密閉構造は回転装置の環状の回転部材２０と環状の固定部材３０との間に形成された空洞の中に取り付けられている。回転部材２０に環状凹部２２が設けられ、環状凹部２２に環状部材２１ａが気密に取り付けられ、環状部材２１ａに回転ディスク２が取り付けられ、環状部材２１ａとコーダ４とが一体であり、環状部材２１ａは回転部材２０と回転ディスク２との間を密閉する第１の密閉手段を構成している。また、固定部材３０に環状凹部３２が設けられ、環状凹部３２に環状部材３１が気密に取り付けられ、環状部材３１に固定ディスク８が取り付けられ、環状部材３１と密閉部材１０とが一体である。そして、コーダ４の外側の側面は固定部材３０の側面の平面Ｐとほぼ同一平面である。回転ディスク２、コーダ４と固定部材３０との間に間隙１６が設けられている。
【００２６】
図４はこの発明に係る他のコーダ内蔵密閉構造の一部を示す断面図である。図に示すように、回転部材２０に環状凹部２２が設けられ、環状凹部２２にフェライトが添加されていないエラストマからなる環状部材２１ｂが気密に取り付けられ、環状部材２１ｂに回転ディスク２が取り付けられ、環状部材２１ｂとコーダ４とは別体であり、環状部材２１ｂは回転部材２０と回転ディスク２との間を密閉する第１の密閉手段を構成している。また、コーダ４の固定部材３０と対向する端部には唇状片３３が設けられている。
【００２７】
図５はこの発明に係る他のコーダ内蔵密閉構造の一部を示す断面図である。図に示すように、回転部材２０に環状凹部２２が設けられ、環状凹部２２にフェライトが添加されていないエラストマからなる環状部材２１ｂが気密に取り付けられ、環状部材２１ｂに回転ディスク２が取り付けられ、環状部材２１ｂとコーダ４とは別体である。固定部材３０に円筒部７が嵌められ、円筒部７と一体の固定ディスク８に密閉部材１０が取り付けられ、密閉部材１０は回転ディスク２の自由面に当接している唇状片１１ａおよび円筒部３の外側面に当接している唇状片１１ｂを有している。
【００２８】
図６はこの発明に係る他のコーダ内蔵密閉構造の一部を示す断面図である。図に示すように、軸受の外側の回転部材２０に円筒部３が嵌められ、円筒部３と一体の回転ディスク２にコーダ４が取り付けられ、回転ディスク２は回転部材２０、固定部材３０と平面Ｐによって形成された空洞１５の中に設けられている。コーダ４には回転部材２０に当接している唇状片３７が設けられ、唇状片３７は回転部材２０と回転ディスク２との間を密閉する第１の密閉手段を構成している。また、コーダ４には固定部材３０の円錐状の面に当接している唇状片３４が設けられている。
【００２９】
図７はこの発明に係る他のコーダ内蔵密閉構造の一部を示す断面図である。図に示すように、軸受の内側の固定部材３０と外側の回転部材２０との間に回転ディスク２が設けられ、回転ディスク２にコーダ４が取り付けられ、コーダ４の側面は軸受の側面の平面Ｐとほぼ同一平面である。回転ディスク２にはばねの効果で固定部材３０に当接している二つの半径方向の唇状片３５を備えた二重気密のエラストマからなる第２の密閉部材３６が取り付けられている。
【図面の簡単な説明】
【００３０】
【図１】この発明に係るコーダ内蔵密閉構造の一部を示す断面図である。
【図２】この発明に係る他のコーダ内蔵密閉構造の一部を示す断面図である。
【図３】この発明に係る他のコーダ内蔵密閉構造の一部を示す断面図である。
【図４】この発明に係る他のコーダ内蔵密閉構造の一部を示す断面図である。
【図５】この発明に係る他のコーダ内蔵密閉構造の一部を示す断面図である。
【図６】この発明に係る他のコーダ内蔵密閉構造の一部を示す断面図である。
【図７】この発明に係る他のコーダ内蔵密閉構造の一部を示す断面図である。
【符号の説明】
【００３１】
１…シャフト
２…回転ディスク
４…コーダ
６…固定部材
８…固定ディスク
１０…第１の密閉部材
１１ａ…唇状片
１１ｂ…唇状片
１３…唇状片
１６…間隙
１７…唇状片
１９…空間
２０…回転部材
２１ａ…環状部材
２１ｂ…環状部材
２２…環状凹部
２９…空間
３０…固定部材
３４…唇状片
３６…第２の密閉部材
３７…唇状片
６１…側面
【図１】
2004340979.tif 000003
【図２】
2004340979.tif 000004
【図３】
2004340979.tif 000005
【図４】
2004340979.tif 000006
【図５】
2004340979.tif 000007
【図６】
2004340979.tif 000008
【図７】
2004340979.tif 000009